(57)【特許請求の範囲】
【請求項１】
複数の方路との間で入出力される波長多重信号をそれぞれ増幅する複数の増幅部と、
前記複数の増幅部との間において前記波長多重信号がそれぞれ入出力され、前記波長多重信号に含まれる各波長の光信号が、該方路から他の方路に、または、他の方路から該方路に導かれるように、複数の入力ポート、及び複数の出力ポートを介して互いに接続された複数のスイッチ部と、
前記光信号の各々について、前記複数の出力ポートのうち、前記光信号が出力される出力ポート、及び、前記複数の入力ポートのうち、該光信号が入力される入力ポートの接続関係を示す第１情報と、前記複数の方路の各々について、前記波長多重信号が互いに入出力される前記複数の増幅部と前記複数のスイッチ部の接続関係を示す第２情報とが登録された設定テーブルを記憶する記憶部と、
前記複数の方路のうち、前記第１情報及び前記第２情報から決定される前記光信号ごとの入力元の方路と出力先の方路の組み合わせに応じて、前記複数のスイッチ部の各々に、複数の入力ポート、及び複数の出力ポートを介して入力、または出力される前記光信号の波長を設定する設定処理部と、
外部からの入力に応じて、前記設定テーブルの内容を更新する更新処理部とを有することを特徴とする光クロスコネクト装置。
【請求項２】
前記複数のスイッチ部は、前記複数の入力ポートから入力された各波長の光信号を多重化し、前記波長多重信号として該方路に出力する第１光素子と、該方路から入力された前記波長多重信号を各波長の光信号に分離して前記複数の出力ポートから出力する第２光素子とを含み、
前記複数の増幅部のうち、共通の増幅部に接続された前記第１及び第２光素子は、前記複数の入力ポートの１つと、前記複数の出力ポートの１つとにより、互いに接続されていることを特徴とする請求項１に記載の光クロスコネクト装置。
【請求項３】
前記更新処理部は、前記入力ポート及び前記出力ポートの間の誤接続に従い、前記入力ポートの１つを、他の前記入力ポートと入れ替えるように、または、前記出力ポートの１つを、他の前記出力ポートと入れ替えるように、前記第１情報を更新することを特徴とする請求項１または２に記載の光クロスコネクト装置。
【請求項４】
前記更新処理部は、前記複数の増幅部と前記複数のスイッチ部の間の誤接続が修正されるように、前記第２情報を更新することを特徴とする請求項１に記載の光クロスコネクト装置。
【発明の詳細な説明】
【技術分野】
【０００１】
本発明は、光クロスコネクト装置に関する。
【背景技術】
【０００２】
通信容量の需要が増加するに伴って、ＷＤＭ技術（ＷＤＭ：Ｗａｖｅｌｅｎｇｔｈ  Ｄｉｖｉｓｉｏｎ  Ｍｕｌｔｉｐｌｅｘｉｎｇ）を利用した通信ネットワークが広く普及している。ＷＤＭ技術は、波長が異なる複数の光信号を多重化して伝送する技術である。このＷＤＭ技術を利用するＷＤＭ装置は、他の伝送装置と比べ、大容量のデータを高速に伝送することができる。
【０００３】
ＷＤＭ技術を利用した伝送装置として、ＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）などと称される光分岐挿入装置が知られている。光分岐挿入装置は、トランスポンダなどと称される光信号の送受信器を有し、この送受信器から入力された光信号を多重化して外部に伝送し、一方、外部から伝送された多重化信号から任意の波長の信号を送受信器に出力する。
【０００４】
光分岐挿入装置は、異なる方路間において多重化信号が伝送されるように、方路ごとに、光増幅器、及び波長選択スイッチ（ＷＳＳ：Ｗａｖｅｌｅｎｇｔｈ  Ｓｅｌｅｃｔｉｖｅ  Ｓｗｉｔｃｈ）を有する光クロスコネクト装置を備えている。ここで、方路とは、接続対象の他ノードとの間に延びる伝送路である。
【０００５】
各光増幅器と各波長選択スイッチは、それぞれ、光ファイバにより接続される。光分岐挿入装置に用いられる光ファイバの数は、他の伝送装置と比較すると多い（例えば、数百本）ため、誤接続が生じ易い。
【０００６】
光ファイバの誤接続に関して、例えば、特許文献１には、伝送装置間において、送信ポート、及び受信ポートに対する光ファイバの接続を誤った場合の検出方法、及び修正方法が開示されている。また、特許文献２には、複数の波長信号を多重化する多重化装置の前段、及び後段の光パワーレベルを比較することにより光ファイバの誤接続を検出する検出方法が開示されている。
【先行技術文献】
【特許文献】
【０００７】
【特許文献１】特開２００５−５１７５０号公報
【特許文献２】特開２００４−３２０８８号公報
【発明の概要】
【発明が解決しようとする課題】
【０００８】
光ファイバの誤接続の修正作業は、該当する光ファイバを特定し、誤った接続ポートから外し、正しい接続ポートに接続することにより行われる。光クロスコネクト装置は、上記の波長選択スイッチが複数の対象と接続されるため、特許文献１に開示された伝送装置とは異なり、多数の接続ポートを有し、接続構成が複雑である。したがって、光クロスコネクト装置における光ファイバの誤接続の修正作業は、手間がかかるという問題があった。
【０００９】
本発明の目的は、光ファイバの誤接続の修正が容易な光クロスコネクト装置を提供することである。
【課題を解決するための手段】
【００１０】
本明細書に記載の光クロスコネクト装置は、複数の方路との間で入出力される波長多重信号をそれぞれ増幅する複数の増幅部と、前記複数の増幅部との間において前記波長多重信号がそれぞれ入出力され、前記波長多重信号に含まれる各波長の光信号が、該方路から他の方路に、または、他の方路から該方路に導かれるように、複数の入力ポート、及び複数の出力ポートを介して互いに接続された複数のスイッチ部と、前記光信号の各々について、前記複数の出力ポートのうち、前記光信号が出力される出力ポート、及び、前記複数の入力ポートのうち、該光信号が入力される入力ポートの接続関係を示す第１情報と、前記複数の方路の各々について、前記波長多重信号が互いに入出力される前記複数の増幅部と前記複数のスイッチ部の接続関係を示す第２情報とが登録された設定テーブルを記憶する記憶部と、前記複数の方路のうち、前記第１情報及び前記第２情報から決定される前記光信号ごとの入力元の方路と出力先の方路の組み合わせに応じて、前記複数のスイッチ部の各々に、複数の入力ポート、及び複数の出力ポートを介して入力、または出力される前記光信号の波長を設定する設定処理部と、外部からの入力に応じて、前記設定テーブルの内容を更新する更新処理部とを有する。
【発明の効果】
【００１１】
本明細書に記載の光クロスコネクト装置によれば、光ファイバの誤接続の修正を容易にするという効果がある。
【図面の簡単な説明】
【００１２】
【図１】ＲＯＡＤＭ装置を含むネットワークの一例を示す構成図である。
【図２】ＲＯＡＤＭ装置の機能構成図である。
【図３】クロスコネクト部の構成図である。
【図４】パス管理テーブルの一例である。
【図５】設定テーブルの一例を示す表である。
【図６】方路＃１及び＃２の間の光信号の経路を示すクロスコネクト部の構成図である。
【図７】誤接続例１を示す図３のクロスコネクト部の構成図である。
【図８】誤接続例１に関連する箇所が示された図５の設定テーブルある。
【図９】誤接続例１を検出する手法を示すブロック図である。
【図１０】誤接続例１を修正するように更新された設定テーブルである。
【図１１】誤接続例１の修正後の光信号の経路を示すクロスコネクト部の構成図である。
【図１２】誤接続例２を示す図３のクロスコネクト部の構成図である。
【図１３】誤接続例２を検出する手法を示すブロック図である。
【図１４】誤接続例２を修正するように更新された設定テーブルである。
【図１５】誤接続例２の修正後の光信号の経路を示すクロスコネクト部の構成図である。
【図１６】誤接続例３を示す図３のクロスコネクト部の構成図である。
【図１７】誤接続例３における光信号の経路を示すクロスコネクト部の構成図である。
【図１８】誤接続例３を検出する手法を示すブロック図である。
【図１９】誤接続例３に関連する箇所が示された図５の設定テーブルである。
【図２０】誤接続例３を修正するように更新された設定テーブルである。
【図２１】誤接続例３の修正後の光信号の経路を示すクロスコネクト部の構成図である。
【図２２】管理装置の処理を示すフロー図である。
【図２３】方路＃１に対応するユニットを増設する場合における光ファイバの接続部分を示す図３のクロスコネクト部の構成図である。
【図２４】２方路から４方路に対応するように変更する場合における光ファイバの接続部分を示すクロスコネクト部の構成図である。
【図２５】２方路に対応するＲＯＡＤＭ装置を含むネットワークの一例を示す構成図である。
【図２６】ＲＯＡＤＭ装置の制御部の処理を示すフロー図である。
【図２７】他の実施例に係るクロスコネクト部の構成図である。
【図２８】さらに他の実施例に係るクロスコネクト部の構成図である。
【発明を実施するための形態】
【００１３】
図１は、ＲＯＡＤＭ装置を含むネットワークの一例を示す構成図である。ＲＯＡＤＭ装置１ａ〜１ｇは、例えばリング型の形態を有する２つのネットワーク２０，２１を構成している。各ＲＯＡＤＭ装置１ａ〜１ｇは、各波長λ１，λ２，λ３・・・の光信号が入力され、該光信号を波長多重して、ネットワーク２０，２１内において伝送し、一方、各波長λ１，λ２，λ３・・・の光信号を該波長多重信号から分離して出力する。したがって、各ＲＯＡＤＭ装置１ａ〜１ｇに光信号の波長ごとのパスを設定することによって、該光信号が任意のＲＯＡＤＭ装置１ａ〜１ｇの間において伝送される。
【００１４】
複数のＲＯＡＤＭ装置１ａ〜１ｇのうち、ＲＯＡＤＭ装置１ａは、２つのネットワーク２０，２１を接続するノードに設けられている。このため、ＲＯＡＤＭ装置１ａは、他のＲＯＡＤＭ装置１ｂ，１ｄ，１ｅ，１ｇとの間を結ぶ４つの方路＃１〜＃４を有している。以降の説明では、このＲＯＡＤＭ装置１ａを例に挙げて説明するが、他のＲＯＡＤＭ装置１ｂ〜１ｇに関しても同様である。
【００１５】
図２は、ＲＯＡＤＭ装置１の機能構成図である。ＲＯＡＤＭ装置１は、光クロスコネクト装置１０を含み、光クロスコネクト装置１０は、制御部１００と、クロスコネクト部１０１と、記憶部１０２とを含む。
【００１６】
クロスコネクト部１０１は、波長選択スイッチ（ＷＳＳ）を含み、波長多重信号に含まれる各波長の光信号が、所定の方路＃１〜＃４との間において伝送されるように光信号を導く。図３は、クロスコネクト部１０１の構成図である。
【００１７】
クロスコネクト部１０１は、複数のスイッチ部１０１４〜１０１７と、複数の増幅部１０１０〜１０１３とを含む。複数のスイッチ部１０１４〜１０１７は、光ファイバを介して互いに接続されており、また、複数の増幅部１０１０〜１０１３は、光ファイバを介して、各方路＃１〜＃４の他装置、及び複数のスイッチ部１０１４〜１０１７に接続されている。
【００１８】
複数のスイッチ部１０１４〜１０１７は、各方路＃１〜＃４に対応し、それぞれ、波長多重信号を受信する受信側波長選択スイッチ１０１４ａ〜１０１７ａと、波長多重信号を送信する送信側波長選択スイッチ１０１４ｂ〜１０１７ｂとを含む。複数の増幅部１０１０〜１０１３は、各方路＃１〜＃４に対応し、それぞれ、受信側アンプ１０１０ａ〜１０１３ａと、送信側アンプ１０１０ｂ〜１０１３ｂとを含み、波長多重信号を増幅して入出力する。
【００１９】
受信側アンプ１０１０ａ〜１０１３ａは、一対の入力ポート（ａ）、及び出力ポート（ｄ）を有している。受信側アンプ１０１０ａ〜１０１３ａは、入力ポート（ａ）を介して、対応する方路＃１〜＃４から波長多重信号が入力され、他方、出力ポート（ｄ）を介して、増幅した波長多重信号を、対応するスイッチ部１０１４〜１０１７に出力する。
【００２０】
一方、送信側アンプ１０１０ｂ〜１０１３ｂは、一対の入力ポート（ｃ）、及び出力ポート（ｂ）を有している。送信側アンプ１０１０ｂ〜１０１３ｂは、入力ポート（ｃ）を介して、対応するスイッチ部１０１４〜１０１７から波長多重信号が入力され、増幅した波長多重信号を、出力ポート（ｂ）を介して、対応する方路＃１〜＃４に出力する。
【００２１】
また、受信側波長選択スイッチ１０１４ａ〜１０１７ａは、それぞれ、方路側入力ポート（ａ）、及び複数の出力ポート（ｈ），（ｇ），（ｆ），（ｉ）を有している。一方、送信側波長選択スイッチ１０１４ｂ〜１０１７ｂは、それぞれ、方路側出力ポート（ｂ）、及び複数の入力ポート（ｊ），（ｅ），（ｄ），（ｃ）を有している。
【００２２】
複数のスイッチ部１０１４〜１０１７は、複数の増幅部１０１０〜１０１３を介して、複数の方路＃１〜＃４との間において波長多重信号がそれぞれ入出力される。複数のスイッチ部１０１４〜１０１７は、波長多重信号に含まれる各波長の光信号が、該方路から他の方路に、または、他の方路から該方路に導かれるように、複数の入力ポート（ｊ），（ｅ），（ｄ），（ｃ）、及び複数の出力ポート（ｈ），（ｇ），（ｆ），（ｉ）を介して互いに接続されている。
【００２３】
受信側波長選択スイッチ１０１４ａ〜１０１７ａの方路側入力ポート（ａ）は、受信側アンプ１０１０ａ〜１０１３ａの出力ポート（ｄ）とそれぞれ接続されている。受信側波長選択スイッチ１０１４ａ〜１０１７ａは、方路側入力ポート（ａ）を介して、受信側アンプ１０１０ａ〜１０１３ａから波長多重信号がそれぞれ入力される。
【００２４】
また、受信側波長選択スイッチ１０１４ａ〜１０１７ａの出力ポート（ｈ），（ｇ），（ｆ）は、他の方路＃１〜＃４に対応する送信側波長選択スイッチ１０１４ｂ〜１０１７ｂの入力ポート（ｃ），（ｄ），（ｅ）とそれぞれ接続されている。受信側波長選択スイッチ１０１４ａ〜１０１７ａは、受信側アンプ１０１０ａ〜１０１３ａからそれぞれ入力された多重化信号を波長ごとに分離し、これにより得た各波長の光信号を出力ポート（ｈ），（ｇ），（ｆ），（ｉ）からそれぞれ出力する。出力される光信号の波長は、制御部１００の制御により出力ポート（ｈ），（ｇ），（ｆ），（ｉ）ごとに選択される。
【００２５】
一方、送信側波長選択スイッチ１０１４ｂ〜１０１７ｂの入力ポート（ｅ），（ｄ），（ｃ）は、他の方路＃１〜＃４に対応する受信側波長選択スイッチ１０１４ａ〜１０１７ａの出力ポート（ｈ），（ｇ），（ｆ）とそれぞれ接続されている。送信側波長選択スイッチ１０１４ｂ〜１０１７ｂは、入力ポート（ｅ），（ｄ），（ｃ），（ｊ）から入力された各波長の光信号を多重化して出力ポート（ｂ）から出力する。多重化される光信号の波長は、制御部１００の制御により入力ポート（ｅ），（ｄ），（ｃ），（ｊ）ごとに選択される。なお、入力ポート（ｊ）、及び出力ポート（ｉ）は接続されており、この接続については後述する。
【００２６】
クロスコネクト部１０１は、上述した構成によって、複数の方路＃１〜＃４から入力された波長多重信号に含まれる各波長の光信号を、任意の他の方路＃１〜＃４に波長多重して出力する。なお、クロスコネクト部１０１のポート間の接続設定に関して、スイッチ部１０１４〜１０１７を、ユニット（１）〜（４）とそれぞれ識別し、増幅部１０１０〜１０１３を、ユニット（５）〜（８）とそれぞれ識別する。
【００２７】
図２の記憶部１０２は、メモリなどの記憶手段であり、パス管理テーブル１０２ａ、及び設定テーブル１０２ｂを記憶する。パス管理テーブル１０２ａは、方路＃１〜＃４間を伝送される光信号のチャネル（つまり、波長）ごとに、方路＃１〜＃４間のパス情報が記録されている。設定テーブル１０２ｂは、クロスコネクト部１０１内の接続構成を示す接続情報が記録されている。
【００２８】
図４は、パス管理テーブル１０２ａの一例を示す。パス管理テーブル１０２ａは、光信号のチャネル（「チャネル」項目を参照）ごとに、該光信号が入力される方路を示す入力元方路情報（「入力元方路」項目を参照）と、該光信号が出力される方路を示す出力先方路情報（「出力先方路」項目を参照）とが、互いに対応付けられて登録されている。ここで、各チャネルは、各方路＃１〜＃４から入力された波長多重信号に含まれている各波長の光信号にそれぞれ対応する。例えば、チャネル１の光信号は、クロスコネクト部１０１を経由し、方路＃１から方路＃２に伝送され、方路＃２から方路＃１に伝送される。また、チャネル２の光信号は、クロスコネクト部１０１を経由し、方路＃１から方路＃３に伝送され、方路＃３から方路＃１に伝送される。
【００２９】
図５は、設定テーブル１０２ｂの一例を示す。設定テーブル１０２ｂは、光信号の各々について、出力ポート情報、及び入力ポート情報が互いに対応付けられて登録されている。出力ポート情報は、受信側波長選択スイッチ１０１４ａ〜１０１７ａの複数の出力ポート（ｈ），（ｇ），（ｆ），（ｉ）のうち、光信号が出力される出力ポートを特定する（「出力元」の「ポート」の項目を参照）。例えば、符号９０により示される欄内において、「出力元」の「ユニット（１）−ｆ」は、図４中の「ユニット（１）」に該当する受信側波長選択スイッチ１０１４ａの出力ポート（ｆ）を示す。
【００３０】
一方、入力ポート情報は、送信側波長選択スイッチ１０１４ｂ〜１０１７ｂの複数の入力ポート（ｊ），（ｅ），（ｄ），（ｃ）のうち、該光信号が入力される入力ポートを特定する（「入力先」の「ポート」の項目を参照）。例えば、符号９０により示される欄内において、「入力先」の「ユニット（２）−ｅ」は、図４中の「ユニット（２）」に該当する送信側波長選択スイッチ１０１５ｂの入力ポート（ｅ）を示す。
【００３１】
また、図中の「出力元」の「方路」、及び「入力先」の「方路」の項目は、パス管理テーブル１０２ａの入力元方路情報、及び出力先方路情報にそれぞれ対応し、該当するチャネルの光信号が当該ポート間を伝送されることを示す。「方路」の内容は、後述するように、所定の規則に従って自動的に決定される。
【００３２】
例えば、符号９０に示される欄を参照すると、出力ポート情報として、方路＃１のユニット（１）の出力ポート（ｆ）が登録され、入力ポート情報として、方路＃２のユニット（２）の入力ポート（ｅ）が登録されている。ここで、図４に示されたパス管理テーブル１０２ａによると、方路＃１から方路＃２に向かう経路には、チャネル１が設定されている。これにより、図６に示されるように、方路＃１から方路＃２に向かうチャネル１の経路Ｐ１が、スイッチ部１０１４（ユニット（１））の出力ポート（ｆ）からスイッチ部１０１５（ユニット（２））の入力ポート（ｅ）に向かうように設定される。
【００３３】
この場合、チャネル１の波長をλａとすると、受信側波長選択スイッチ１０１４ａは、方路側入力ポート（ａ）からの波長多重信号を分離して得た各波長の光信号のうち、波長λａの光信号を、出力ポート（ｆ）から出力する。他方、送信側波長選択スイッチ１０１５ｂは、受信側波長選択スイッチ１０１４ａから入力された波長λａの光信号を、他の光信号と多重化し、方路側出力ポート（ｂ）から受信側アンプ１０１１ｂに出力する。これにより、方路＃１から方路＃２に向かうチャネル１の経路が確立される。
【００３４】
また、例えば、符号９１に示される欄を参照すると、出力ポート情報として、方路＃２のユニット（２）の出力ポート（ｈ）が登録され、入力ポート情報として、方路＃１のユニット（１）の入力ポート（ｃ）が登録されている。ここで、図４に示されたパス管理テーブル１０２ａによると、方路＃２から方路＃１に向かう経路には、チャネル１が設定されている。これにより、図６に示されるように、方路＃２から方路＃１に向かうチャネル１の経路Ｐ２が、スイッチ部１０１５（ユニット（２））の出力ポート（ｈ）からスイッチ部１０１４（ユニット（１））の出力ポート（ｃ）に向かうように設定される。
【００３５】
この場合、受信側波長選択スイッチ１０１５ａは、方路側入力ポート（ａ）からの波長多重信号を分離して得た各波長の光信号のうち、波長λａの光信号を、出力ポート（ｈ）から出力する。他方、送信側波長選択スイッチ１０１４ｂは、受信側波長選択スイッチ１０１５ａから入力された波長λａの光信号を、他の光信号と多重化し、方路側出力ポート（ｂ）から受信側アンプ１０１０ｂに出力する。これにより、方路＃２から方路＃１に向かうチャネル１の経路が確立される。
【００３６】
また、設定テーブル１０２ｂには、送信側波長選択スイッチ１０１４ｂ〜１０１７ｂの方路側出力ポート（ｂ）を示す出力ポート情報と、送信側アンプ１０１０ｂ〜１０１３ｂの入力ポート（ｃ）を示す入力ポート情報とが、互いに対応付けられて登録されている。送信側アンプ１０１０ｂ〜１０１３ｂの入力ポート（ｃ）に対応する方路は、例えば、装置１のラックにおいて、増幅部１０１０〜１０１３がセットされたスロット位置に基づいて決定される。なお、入力ポート（ｃ）の方路は、これに限定されず、後述する管理装置３からの設定（プロビジョニング）に基づいて決定されてもよい。
【００３７】
送信側波長選択スイッチ１０１４ｂ〜１０１７ｂの方路側出力ポート（ｂ）に対応する方路は、該当する送信側アンプ１０１０ｂ〜１０１３ｂの入力ポート（ｃ）の方路に従って決定される。さらに、送信側波長選択スイッチ１０１４ｂ〜１０１７ｂの入力ポート（ｊ），（ｅ），（ｄ），（ｃ）は、出力ポート（ｂ）に対応する方路と同一の方路となるように決定される。
【００３８】
例えば、符号８０により示された欄には、送信側波長選択スイッチ１０１４ｂの入力ポート情報と、送信側アンプ１０１０ｂの出力ポート情報とが、互いに対応付けられて記録されている。送信側アンプ１０１０ｂの方路は、スロット位置に従って「＃１」に設定されている。これに伴って、送信側波長選択スイッチ１０１４ｂの方路側入力ポート（ｂ）の方路も「＃１」に設定される。さらに、当該送信側波長選択スイッチ１０１４ｂの入力ポート（ｊ），（ｅ），（ｄ），（ｃ）の方路は、出力ポート（ｂ）に対応する方路＃１と同一の方路＃１となるように決定されている（「入力先」の「方路」を囲む丸印を参照）。
【００３９】
さらに、設定テーブル１０２ｂには、受信側波長選択スイッチ１０１４ａ〜１０１７ａの方路側入力ポート（ａ）と受信側アンプ１０１０ａ〜１０１３ａの出力ポート（ｄ）とが、互いに対応付けられて登録されている。ここで、受信側アンプ１０１０ａ〜１０１３ａの出力ポート（ｄ）に対応する方路は、送信側アンプ１０１０ｂ〜１０１３ｂの入力ポート（ｃ）と同様の手法により決定される。
【００４０】
受信側波長選択スイッチ１０１４ａ〜１０１７ａの方路側入力ポート（ａ）に対応する方路は、該当する受信側アンプ１０１０ａ〜１０１３ａの出力ポート（ｄ）の方路に従って決定される。さらに、当該受信側波長選択スイッチ１０１４ａ〜１０１７ａの出力ポート（ｈ），（ｇ），（ｆ），（ｉ）は、上記の入力ポート（ａ）に対応する方路と同一の方路となるように決定される。
【００４１】
例えば、符号８１により示された欄には、受信側アンプ１０１０ａの入力ポート情報と、と、受信側波長選択スイッチ１０１４ａの入力ポート情報が、互いに対応付けられて記録されている。受信側アンプ１０１０ａの方路は、スロット位置に従って「＃１」に設定されている。これに伴って、受信側波長選択スイッチ１０１４ａの入力ポート（ａ）の方路も「＃１」に設定される。さらに、当該受信側波長選択スイッチ１０１４ａの出力ポート（ｈ），（ｇ），（ｆ），（ｉ）の方路は、入力ポート（ａ）に対応する方路＃１と同一の方路＃１となるように決定されている（「出力元」の「方路」を囲む丸印を参照）。
【００４２】
図２の制御部１００は、例えばＣＰＵ（Ｃｅｎｔｒａｌ  Ｐｒｏｃｅｓｓｉｎｇ  Ｕｎｉｔ）などの演算処理回路であり、所定のプログラムに基づいて処理を行う。なお、制御部１００は、このようにソフトウェアにより機能するものに限定されることはなく、特定用途向け集積回路などのハードウェアにより機能するものであってもよい。
【００４３】
制御部１００は、設定処理部１００ａと、更新処理部１００ｂとを含む。設定処理部１００ａは、パス管理テーブル１０２ａ、及び設定テーブル１０２ｂに従って、クロスコネクト部１０１を設定する。すなわち、設定処理部１００ａは、設定テーブル１０２ｂに基づき、複数のスイッチ部１０１４〜１０１７の各々に、複数の入力ポート（ｊ），（ｅ），（ｄ），（ｃ）、及び複数の出力ポート（ｈ），（ｇ），（ｆ），（ｉ）を介して入力、または出力される光信号の波長を設定する。この設定については、上述した通りである。
【００４４】
更新処理部１００ｂは、外部からの入力に応じて、設定テーブル１０２ｂの内容を更新する。制御部１００は、通信ネットワーク４を介して管理装置３と接続されており、管理装置３から該更新の内容を受信する。管理装置３は、例えば、パーソナルコンピュータなどの端末装置に管理用ソフトウェアを実装したものであり、例えば、図１のネットワーク２０，２１を管理するネットワーク管理装置である。なお、通信ネットワーク４は、有線通信、及び無線通信の何れの形態により構成されてもよい。
【００４５】
また、ＲＯＡＤＭ装置１は、ＭＵＸ／ＤＭＵＸ部１１と、複数の光送受信器１２とを有する。複数の光送受信器１２は、トランスポンダなどと称され、それぞれ、異なる波長λ１〜λｎの光信号を、ＭＵＸ／ＤＭＵＸ部１１との間において入出力する。なお、光送受信器１２は、図とは異なり、異なる波長の光信号を入出力してもよい。
【００４６】
ＭＵＸ／ＤＭＵＸ部１１は、複数の光送受信器１２から入力された各波長の光信号を多重化して、クロスコネクト部１０１に出力する。クロスコネクト部１０１は、ＭＵＸ／ＤＭＵＸ部１１から入力された波長多重信号を、送信側波長選択スイッチ１０１４ｂ〜１０１７ｂを介して、各方路＃１〜＃４に出力する。なお、図３には、ＭＵＸ／ＤＭＵＸ部１１との接続は示されておらず、以降の図においても同様とする。
【００４７】
また、ＭＵＸ／ＤＭＵＸ部１１は、各方路＃１〜＃４からの波長多重信号が、クロスコネクト部１０１から入力され、波長ごとに分離して得た光信号を、複数の光送受信器１２に出力する。これにより、図１に示されるように、ネットワーク２０，２１内の各ＲＯＡＤＭ装置１ａ〜１ｇにおいて、任意の波長の光信号を入出力することができる。なお、クロスコネクト部１０１、ＭＵＸ／ＤＭＵＸ部１１、及び複数の光送受信器１２は、互いに光ファイバにより接続されている。また、ＭＵＸ／ＤＭＵＸ部１１、及び複数の光送受信器１２は、制御部１００により制御され、チャネルの設定処理などがなされる。
【００４８】
このように、ＲＯＡＤＭ装置１内の各ユニットは、他種類の光伝送装置と比べると、多数の光ファイバにより接続されている。このため、装置１を設置する場合などにおいて、以下に述べるように、光ファイバの誤接続が生じ得る。
【００４９】
（誤接続例１）
図７は、図３に示されたクロスコネクト部１０１における光ファイバの誤接続の一例を示す。本例において、方路＃１の送信側波長選択スイッチ１０１４ｂの入力ポート（ｅ）及び（ｃ）に接続する光ファイバＬ１，Ｌ２が、入れ替わっている（点線参照）。ここで、図４に示されたパス管理テーブル１０２ａ、及び図５に示された設定テーブル１０２ｂによると、当該入力ポート（ｅ）に入力される光信号は、チャネル３である（図８の符号９３参照）。また、当該入力ポート（ｃ）に入力される光信号は、チャネル１である（図８の符号９２参照）。
【００５０】
したがって、チャネル１の波長をλａとし、チャネル３の波長をλｂとすると、当該入力ポート（ｅ）は、選択されていない波長λｂの光信号が入力され、他方、当該入力ポート（ｃ）も、選択されていない波長λａの光信号が入力される。よって、方路＃１の送信側波長選択スイッチ１０１４ｂは、選択した波長が異なるチャネル１，３の光信号を方路＃１に出力しない（図７の×印参照）。
【００５１】
本例の誤接続は、図９に示されるように、波長λａ（チャネル１）の光信号が方路＃２から方路＃１に伝送されず、さらに、波長λｂ（チャネル３）の光信号が方路＃４から方路＃１に伝送されない（図中の×印参照）ことに基づいて検出される。例えば、図１に示されたネットワーク２０，２１において、方路＃２側のＲＯＡＤＭ装置１ｄ、及び方路＃４側のＲＯＡＤＭ装置１ｇからそれぞれ波長λａ，λｂの光信号が方路＃１側のＲＯＡＤＭ装置１ｂに伝送されない場合、誤接続が検出される。なお、誤接続の検出は、ＲＯＡＤＭ装置１ａ〜１ｇによらず、他の測定装置などを用いて行われてもよい。
【００５２】
更新処理部１００ｂは、誤接続に対処するための指示データを管理装置３から受信し、該指示データの内容に従って設定テーブル１０２ｂを更新する。本例において、更新処理部１００ｂは、複数のスイッチ部の接続関係に従い、入力ポート情報の１つを、他の入力ポート情報と入れ替えるように、設定テーブル１０２ｂを更新する。具体的には、光ファイバが誤接続されている上記の入力ポート（ｅ）及び（ｃ）の各入力ポート情報（図８の符号９２，９３参照）を互いに入れ替える。
【００５３】
図１０は、更新後の設定テーブル１０２ｂの内容を示す。更新後の設定テーブル１０２ｂにおいて、方路＃２から方路＃１に向かうチャネル１の光信号は、上記の入力ポート（ｅ）に入力され（符号９４参照）、方路＃４から方路＃１に向かうチャネル３の光信号は、上記の入力ポート（ｃ）に入力される（符号９５参照）ことを示す。つまり、更新により、入力ポート（ｅ）及び（ｃ）について選択される光信号の波長が入れ替わることになる。
【００５４】
設定処理部１００ａが、更新後の設定テーブル１０２ｂをクロスコネクト部１０１に反映すると、図１１に示されるように、波長λａの光信号が方路＃２から方路＃１に出力され、波長λｂの光信号が方路＃４から方路＃１に出力される。これは、送信側波長選択スイッチ１０１４ｂが、更新後の設定テーブル１０２ｂに従い、入力ポート（ｅ）について波長λａの光信号を選択し、入力ポート（ｃ）について波長λｂの光信号を選択したからである。
【００５５】
このように、更新処理部１００ｂは、複数のスイッチ部１０１４〜１０１７の接続関係に従い、入力ポート情報の１つを、他の入力ポート情報と入れ替えるように、設定テーブル１０２ｂの内容を更新する。したがって、送信側波長選択スイッチ１０１４ｂ〜１０１７ｂの各々において、複数の入力ポート（ｊ），（ｅ），（ｄ），（ｃ）に接続された光ファイバが誤って入れ替わった場合、当該光ファイバを再接続することなく、修正を行うことができる。よって、更新処理部１００ｂによれば、誤接続された光ファイバの入れ替えを行わずに、所定の方路間において各波長の光信号を伝送することができる。
【００５６】
（誤接続例２）
一方、図１２には、光ファイバと接続するスイッチ部１０１４〜１０１７の出力ポート（ｈ），（ｇ），（ｆ），（ｉ）を誤った場合の誤接続が例示されている。本例において、方路＃１の受信側波長選択スイッチ１０１４ａの出力ポート（ｈ）及び（ｆ）に接続される光ファイバＬ３，Ｌ４が、入れ替わっている（点線参照）。ここで、図４に示されたパス管理テーブル１０２ａ、及び図５に示された設定テーブル１０２ｂによると、出力ポート（ｈ）から出力される光信号はチャネル３であり、出力ポート（ｆ）から出力される光信号はチャネル１である。
【００５７】
したがって、チャネル１の波長をλａとし、チャネル３の波長をλｂとすると、受信側波長選択スイッチ１０１４ａは、出力ポート（ｈ）及び（ｆ）を介して、それぞれ波長λａ及びλｂの光信号を出力する。波長λａの光信号は、方路が異なる送信側波長選択スイッチ１０１７ｂの入力ポート（ｃ）に入力され、波長λｂの光信号も、方路が異なる送信側波長選択スイッチ１０１５ｂの入力ポート（ｅ）に入力される。
【００５８】
このため、波長λａ及びλｂの光信号は、所定の方路＃２及び＃４に出力されない（×印参照）。なお、送信側波長選択スイッチ１０１５ｂは、入力ポート（ｅ）について波長λａが選択されているため、入力された波長λｂの光信号を方路＃２に出力しない。同様に、送信側波長選択スイッチ１０１７ｂも、入力された波長λａの光信号を方路＃４に出力しない。
【００５９】
本例の誤接続は、図１３に示されるように、波長λａ（チャネル１）の光信号が方路＃１から方路＃２に伝送されず、さらに、波長λｂ（チャネル３）の光信号が方路＃１から方路＃４に伝送されないことに基づいて検出される。例えば、図１に示されたネットワーク２０，２１において、方路＃１側のＲＯＡＤＭ装置１ｂから、それぞれ波長λａ，λｂの光信号が方路＃２側のＲＯＡＤＭ装置１ｄ、及び方路＃４側のＲＯＡＤＭ装置１ｇに伝送されない場合、誤接続が検出される。
【００６０】
図１４には、本例の誤接続を修正するように更新された設定テーブル１０２ｂの内容が示されている。更新によって、方路＃１から方路＃２に向かうチャネル１の光信号は、上記の出力ポート（ｈ）から出力され（符号９６参照）、方路＃１から方路＃４に向かうチャネル３の光信号は、上記の出力ポート（ｆ）から出力される（符号９７参照）ように設定されている。つまり、更新により、出力ポート（ｈ）及び（ｆ）について選択される光信号の波長λｂ，λａが入れ替わることになる。
【００６１】
設定処理部１００ａが、更新後の設定テーブル１０２ｂをクロスコネクト部１０１に反映すると、図１５に示されるように、波長λａの光信号が方路＃１から方路＃２に出力され、波長λｂの光信号が方路＃１から方路＃４に出力される。これは、受信側波長選択スイッチ１０１４ａが、更新後の設定テーブル１０２ｂに従い、出力ポート（ｈ）について波長λａの光信号を選択し、入力ポート（ｆ）について波長λｂの光信号を選択したからである。
【００６２】
このように、更新処理部１００ｂは、複数のスイッチ部１０１４〜１０１７の接続関係に従い、出力ポート情報の１つを、他の出力ポート情報と入れ替えるように、設定テーブル１０２ｂの内容を更新する。したがって、受信側波長選択スイッチ１０１４ａ〜１０１７ａの各々において、複数の出力ポート（ｈ），（ｇ），（ｆ），（ｉ）に接続された光ファイバが誤って入れ替わった場合、当該光ファイバを再接続することなく、修正を行うことができる。
【００６３】
（誤接続例３）
図１６には、光ファイバと接続する送信側アンプ１０１０ｂ〜１０１３ｂを誤った場合の誤接続が例示されている。本例において、方路＃１及び＃２の送信側アンプ１０１０ｂ〜１０１３ｂの入力ポート（ｃ）に接続される光ファイバＬ５，Ｌ６が、入れ替わっている（点線参照）。つまり、送信側波長選択スイッチ１０１４ｂの方路側出力ポート（ｂ）の接続先と、送信側波長選択スイッチ１０１５ｂの方路側出力ポート（ｂ）の接続先とが入れ替わっている。
【００６４】
したがって、図１７に示されるように、方路＃１から入力されたチャネル１の光信号は、方路＃２の送信側波長選択スイッチ１０１５ｂを経由するが、方路＃２に出力されずに、方路＃１の送信側アンプ１０１０ｂに戻って方路＃１に出力される（点線参照）。また、方路＃２から入力されたチャネル１の光信号は、方路＃１の送信側波長選択スイッチ１０１４ｂを経由するが、方路＃１に出力されずに、方路＃２の送信側アンプ１０１１ｂに戻って方路＃２に出力される（一点鎖線参照）。このため、チャネル１の光信号は、所定の方路＃１，＃２間において伝送されないことになる。
【００６５】
本例の誤接続は、図１８に示されるように、該当する方路＃１〜＃４間において各波長の光信号が伝送されない（図中の×印参照）ことに基づいて検出される。図中、図４に示されたパス管理テーブル１０２ａのチャネル１〜５の波長を、それぞれ、λａ，λｄ，λｂ，λｃ，λｅと表記している。
【００６６】
本例の誤接続の場合、方路＃１と方路＃２の間において、波長λａの光信号が伝送されず、方路＃４から方路＃１に、波長λｂの光信号が伝送されない。また、方路＃４から方路＃２に、波長λｃの光信号が伝送されず、方路＃３から方路＃１に、波長λｄの光信号が伝送されない。さらに、方路＃３から方路＃２に、波長λｅの光信号が伝送されない。
【００６７】
図１９は、図５に示された設定テーブル１０２ｂにおいて、本例の誤接続を修正するために更新対象となる項目を示している。本例の誤接続において、送信側アンプ１０１０ｂ（ユニット（５））の入力ポート（ｃ）、及び、送信側アンプ１０１１ｂ（ユニット（６））の入力ポート（ｃ）に接続された光ファイバＬ５，Ｌ６が、入れ替わっている。したがって、更新処理部１００ｂは、これらに対応する入力ポート情報（符号８２及び８３参照）を入れ替える。
【００６８】
これに伴い、送信側波長選択スイッチ１０１４ｂ（ユニット（１））及び１０１５ｂ（ユニット（２））の方路側出力ポート（ｂ）、及び入力ポート（ｊ），（ｅ），（ｄ），（ｃ）の各方路（丸印参照）が、上述した規則に従って入れ替わる。つまり、送信側波長選択スイッチ１０１４ｂは、対応する方路が＃１から＃２となり、他方、送信側波長選択スイッチ１０１５ｂは、対応する方路が＃２から＃１となる。これにより、送信側波長選択スイッチ１０１４ｂ，１０１５ｂは、光ファイバＬ５，Ｌ６の接続に従った方路に対応することになる。
【００６９】
図２０には、本例の誤接続を修正するように更新された設定テーブル１０２ｂの内容が示されている。更新後の設定テーブル１０２ｂにおいて、符号８４，８５に示されるように、送信側アンプ１０１０ｂ，１０１１ｂの入力ポート情報が入れ替わっている。なお、送信側アンプ１０１０ｂ，１０１１ｂの方路は、上述したように、スロット位置に応じて決定されるため、変更されない。
【００７０】
また、送信側波長選択スイッチ１０１４ｂ，１０１５ｂは、互いの方路＃１，＃２が入れ替わり（丸印参照）、結果的に、互いの入力ポート情報が入れ替わっている。これにより、同一のユニット（１），（２）内の送信側波長選択スイッチ１０１４ｂ，１０１５ｂと受信側波長選択スイッチ１０１４ａ，１０１５ａとの間に、出力ポート（ｉ）、及び入力ポート（ｊ）を介して、チャネル１が設定される（符号９５，９６参照）。
【００７１】
設定処理部１００ａが、更新後の設定テーブル１０２ｂをクロスコネクト部１０１に反映すると、図２１に示されるように、波長λａの光信号が、方路＃１から方路＃２に（点線参照）、及び、方路＃２から方路＃１に（一点鎖線参照）出力される。これは、送信側波長選択スイッチ１０１４ｂ，１０１５ｂが、更新後の設定テーブル１０２ｂに従い、方路＃２、＃１にそれぞれ対応し、また、該方路の変更により、入力ポート（ｊ）について波長λａの光信号が選択されたからである。
【００７２】
上述したように、送信側波長選択スイッチ１０１４ｂ〜１０１７ｂは、複数の入力ポート（ｊ），（ｅ），（ｄ），（ｃ）から入力された各波長の光信号を、波長多重信号として該方路＃１〜＃４に出力する。一方、受信側波長選択スイッチ１０１４ａ〜１０１７ａは、該方路＃１〜＃４から入力された波長多重信号を複数の出力ポート（ｈ），（ｇ），（ｆ），（ｉ）から出力する。そして、同一ユニット（１）〜（４）（スイッチ部１０１４〜１０１７）内の送信側波長選択スイッチ１０１４ｂ〜１０１７ｂ、及び受信側波長選択スイッチ１０１４ａ〜１０１７ａは、入力ポート（ｊ）と、出力ポート（ｉ）とにより、互いに接続されている。
【００７３】
この構成によると、同一ユニット（１）〜（４）内の送信側波長選択スイッチ１０１４ｂ〜１０１７ｂ、及び受信側波長選択スイッチ１０１４ａ〜１０１７ａが、互いに異なる方路に対応しても、入力ポート（ｊ）、及び出力ポート（ｉ）を介し、光信号の経路を確保できる。したがって、本例の誤接続のように、送信側アンプ１０１０ｂ〜１０１３ｂが入れ替わった場合、設定テーブル１０２ｂの更新によって所定の方路＃１〜＃４間に光信号を伝送することが可能となる。なお、これは、受信側アンプ１０１０ａ〜１０１３ａが入れ替わるように誤接続がなされた場合も同様である。
【００７４】
また、図２１には、チャネル１の光信号の経路のみが示されているが、他のチャネルについても、同様に、設定テーブル１０２ｂの更新によって所定の方路＃１〜＃４間において光信号が伝送される。これは、送信側波長選択スイッチ１０１４ｂ，１０１５ｂが、更新後の設定テーブル１０２ｂに従って、方路＃２、＃１にそれぞれ対応し、入力ポート（ｅ），（ｄ），（ｃ）について、該当するチャネルに応じた波長の光信号を選択するからである。
【００７５】
このように、更新処理部１００ｂは、複数のスイッチ部１０１４〜１０１７の接続関係に従い、送信側アンプ１０１０ｂ〜１０１３ｂについて、入力ポート情報の１つを、他の入力ポート情報と入れ替えるように、設定テーブル１０２ｂの内容を更新する。これに伴って、更新処理部１００ｂは、さらに、送信側波長選択スイッチ１０１４ｂ〜１０１７ｂについて、入力ポート情報の１つを、他の入力ポート情報と入れ替えるように、設定テーブル１０２ｂの内容を更新する。したがって、送信側アンプ１０１０ｂ〜１０１３ｂの入力ポート（ｃ）に接続された光ファイバが誤って入れ替わった場合、当該光ファイバを再接続することなく、修正を行うことができる。
【００７６】
次に、図２２を参照して、管理装置３の処理のフローを説明する。管理装置３は、図１に示されたネットワーク２０，２１において、各方路＃１〜＃４からＲＯＡＤＭ装置１ａに各波長の光信号が入力されるように、他のＲＯＡＤＭ装置１ｂ，１ｄ，１ｅ，１ｇを制御する（ステップＳｔ１）。そして、管理装置３は、ＲＯＡＤＭ装置１ａから各方路＃１〜＃４に出力される各波長の光信号を検出するように、他のＲＯＡＤＭ装置１ｂ，１ｄ，１ｅ，１ｇを制御する（ステップＳｔ２）。
【００７７】
これにより、図９、図１３、及び図１８を参照して説明したように、管理装置３は、光ファイバの誤接続の有無を検出する。なお、管理装置３は、各方路＃１〜＃４間におけるチャネルごとの光信号の伝送可否と、光ファイバの誤接続に係るポートとの対応関係をデータベースとして記憶しておき、該データベースに基づいて誤接続に係る入力ポート、または出力ポートを判断してもよい。
【００７８】
光ファイバの誤接続は、様々な状況において発生し得る。まず、ＲＯＡＤＭ装置１を設置した場合、全てのポート間を光ファイバにより接続するために、上記の誤接続例１〜３が発生し得る。また、図２３に示されるように、例えば方路の増設によりユニット（１）（スイッチ部１０１４）、及びユニット（５）（増幅部１０１４）を追加する場合、既設のスイッチ部１０１５〜１０１７に光ファイバを接続するため（点線参照）、上記の誤接続例１，２が発生し得る。これは、故障などに起因して、一部の方路のユニットを交換する場合も同様である。
【００７９】
さらに、図２４に示されるように、２つの方路＃１，＃２間を結ぶユニット（１），（２），（５），（６）と、他の２つの方路＃３，＃４の間を結ぶユニット（３），（４），（７），（８）を互いに接続する場合（点線参照）も同様である。この接続は、例えば、図２５に示されるように、図１のネットワーク２０，２１が、互いに接続されずに、ＲＯＡＤＭ装置１ａを別々に経由している場合に、ネットワーク２０，２１が相互に接続されるように、ＲＯＡＤＭ装置１ａを４つの方路に対応させる。
【００８０】
次に、管理装置３は、光ファイバの誤接続を検出すると（ステップＳｔ３のＹＥＳ）、ディスプレイなどの自装置の表示部に、設定テーブル１０２ｂの内容を表示する（ステップＳｔ４）。なお、表示の態様は、限定されない。また、光ファイバの誤接続が検出されない場合（ステップＳｔ３のＮＯ）、管理装置３は、処理を終了する。
【００８１】
次に、管理装置３は、検出した誤接続に応じて、設定テーブル１０２ｂの内容を修正するように、使用者から修正データが入力されると（ステップＳｔ５のＹＥＳ）、修正データに従って、ＲＯＡＤＭ装置１の制御部１００に設定テーブル１０２ｂの更新を指示する（ステップＳｔ６）。修正データの入力は、例えば、入れ替え対象となる一組の入力ポート情報、または出力ポート情報を、ＣＬＩ（Ｃｏｍｍａｎｄ  Ｌｉｎｅ  Ｉｎｔｅｒｆａｃｅ）などの操作手段を用いて指定することにより行われる。なお、使用者から修正データが入力されない場合（ステップＳｔ５のＮＯ）、誤接続を修正するように、装置１の保守者により光ファイバがつなぎ替えられ（ステップＳｔ７）、再びステップＳｔ１から処理が実行される。
【００８２】
また、管理装置３は、使用者の操作に応じて、設定テーブル１０２ｂの更新内容を、ＲＯＡＤＭ装置１の制御部１００を介し、記憶部１０２から読み出して表示してもよい。この表示には、例えば、ディフォルト状態との差分のみに限定され、出力ポート情報、更新後の入力ポート情報、及び、これらのディフォルト状態（更新前の情報）を含めるとよい。
【００８３】
例を挙げると、上記の誤接続例１の場合、「ユニット２−ｈ  −＞  ユニット１−ｅ（ユニット１−ｃ）」、及び「ユニット４−ｆ  −＞  ユニット１−ｃ（ユニット１−ｅ）」と表示される。また、上記の誤接続例３の場合、「ユニット１−ｂ  −＞  ユニット６−ｃ（ユニット５−ｃ）」、及び「ユニット２−ｂ  −＞  ユニット５−ｃ（ユニット６−ｃ）」と表示される。なお、カッコ内は、ディフォルト状態の入力ポート情報を表わす。
【００８４】
次に、図２６を参照して、制御部１００の処理を説明する。制御部１００は、管理装置３から設定テーブル１０２ｂの更新の指示を受信すると（ステップＳｔ１１のＹＥＳ）、指示に従って、更新処理部１００ｂにより設定テーブル１０２ｂを更新する（ステップＳｔ１２）。
【００８５】
次に、制御部１００は、パス管理テーブル１０２ａの設定が完了しているか否かを判定する（ステップＳｔ１３）。そして、制御部１００は、当該設定が完了していない場合（ステップ１３のＮＯ）、完了するまで待機処理を行う。一方、当該設定が完了している場合（ステップ１３のＮＯ）、設定処理部１００ａにより、更新後の設定テーブル１０２ｂの内容をクロスコネクト部１０１に反映する（ステップＳｔ１４）。なお、パス管理テーブル１０２ａは、使用者の操作に応じて、管理装置３により設定される。以上のようにして、誤接続の修正処理がなされる。
【００８６】
これまで説明したように、光クロスコネクト装置１０は、方路＃１〜＃４間の各波長の光信号ごとに、入力ポート、及び出力ポート間の接続関係を示す設定テーブル１０２ｂを、管理装置３からの入力に応じて、更新処理部１００ｂが更新する。したがって、光クロスコネクト装置１０は、所定の方路間において各波長の光信号が伝送されるように、光ファイバの接続関係に従って、各波長選択スイッチ１０１４ａ〜１０１７ａ，１０１４ｂ〜１０１７ｂの波長を設定することができる。よって、光クロスコネクト装置１０は、光ファイバの誤接続を、再接続の作業の負担が生ずることなく、容易に修正することが可能である。
【００８７】
また、これまで述べた実施例において、スイッチ部１０１４〜１０１７の送信側、及び受信側の光素子として、波長選択スイッチを挙げたが、これに限定されることはない。例えば、図２７に示されるように、図４の受信側波長選択スイッチ１０１４ａ〜１０１７ａに代えて、光スプリッタ（ＳＰＬ）１０１４ｃ〜１０１７ｃを用いてもよい。この場合、光スプリッタ１０１４ｃ〜１０１７ｃは、出力ポート（ｈ），（ｇ），（ｆ），（ｉ）から出力する光信号の波長を選択することはなく、入力ポート（ａ）から入力された波長多重信号を分岐して出力する。しかし、送信側波長選択スイッチ１０１４ｂ〜１０１７ｂにおいて、出力ポート（ｂ）から出力する光信号の波長が選択されるため、上述した手法により誤接続の修正が同様に行われる。
【００８８】
また、これまで述べた実施例において、各スイッチ部１０１４〜１０１７は、それぞれ、一対の１×Ｎ（Ｎ＞４）の波長選択スイッチを有しているが、これに代えて、図２８に示されるように、Ｎ×Ｍ（Ｎ＞２，Ｍ＞６）の波長選択スイッチ１０１４ｄ〜１０１７ｄを用いてもよい。この場合、波長選択スイッチ１０１４ｄ〜１０１７ｄは、入力ポート（ａ）から入力された波長多重信号を分離して得た各波長の光信号の一部を、出力ポート（ｂ）から多重化して出力することができる。このため、先に述べたように、同一のスイッチ部１０１４〜１０１７において、入力ポート（ｊ）、及び出力ポート（ｉ）を互いに接続することなく、誤接続例３に対処することが可能である。
【００８９】
以上、好ましい実施例を参照して本発明の内容を具体的に説明したが、本発明の基本的技術思想及び教示に基づいて、当業者であれば、種々の変形態様を採り得ることは自明である。
【符号の説明】
【００９０】
１                          ＲＯＡＤＭ装置
１０                        光クロスコネクト装置
１００                      制御部
１００ａ                    設定処理部１００ａ
１００ｂ                    更新処理部１００ｂ
１０１                      クロスコネクト部
１０２                      記憶部
１０２ａ                    パス管理テーブル
１０２ｂ                    設定テーブル
１０１４〜１０１７          スイッチ部
１０１４ａ〜１０１７ａ      受信側波長選択スイッチ
１０１４ｂ〜１０１７ｂ      送信側波長選択スイッチ
【図１】
0005849793.tif 000002
【図２】
0005849793.tif 000003
【図３】
0005849793.tif 000004
【図４】
0005849793.tif 000005
【図５】
0005849793.tif 000006
【図６】
0005849793.tif 000007
【図７】
0005849793.tif 000008
【図８】
0005849793.tif 000009
【図９】
0005849793.tif 000010
【図１０】
0005849793.tif 000011
【図１１】
0005849793.tif 000012
【図１２】
0005849793.tif 000013
【図１３】
0005849793.tif 000014
【図１４】
0005849793.tif 000015
【図１５】
0005849793.tif 000016
【図１６】
0005849793.tif 000017
【図１７】
0005849793.tif 000018
【図１８】
0005849793.tif 000019
【図１９】
0005849793.tif 000020
【図２０】
0005849793.tif 000021
【図２１】
0005849793.tif 000022
【図２２】
0005849793.tif 000023
【図２３】
0005849793.tif 000024
【図２４】
0005849793.tif 000025
【図２５】
0005849793.tif 000026
【図２６】
0005849793.tif 000027
【図２７】
0005849793.tif 000028
【図２８】
0005849793.tif 000029